(57)【特許請求の範囲】
【請求項１】
パチンコ球を貯留する皿部を有する球受皿本体と、前記球受皿本体に設けられた操作部材を押すことにより回動支軸を中心として回動し、かつ球抜き孔を開閉する幅広の板状部を一体に設けたレバー部材と、該レバー部材を球抜き孔を閉止する位置に付勢する付勢部材とからなり、
前記操作部材には、前記レバー部材を前記球抜き孔が開放する方向へ押圧する押圧突部と前記レバー部材を前記球抜き孔が閉止する方向へ押圧する係合腕とが設けられ、
前記回動支軸に挿通するレバー部材の軸通孔を回動支軸の直径より大きく形成して該レバー部材を回動支軸と軸通孔との間の隙間の範囲内で軸方向に移動自在なように設けると共に、球受皿本体又はレバー部材のいずれか一方にガイド受部と係合部とを有する規制片を、他方に係合突起を設け、
前記レバー部材を付勢部材により付勢して規制片のガイド受部と係合突起とを接触状に位置させることによりレバー部材の軸方向への移動を規制すると共に、該レバー部材の回動により係合部と係合突起とを係合させてレバー部材を球抜き孔を開放する位置に保持し、さらに操作部材の回動によりレバー部材を付勢部材の付勢に抗して軸方向に移動させることにより係合部と係合突起の係合を外すようにしたことを特徴とするパチンコ機における球受皿の球抜き装置。
【発明の詳細な説明】
【０００１】
【発明の属する技術分野】
本発明は、パチンコ機の前面に取着される球受皿の球抜き装置に関し、特に球抜き孔を開放状態に保持し得るようにしたパチンコ機における球受皿の球抜き装置に関するものである。
【０００２】
【従来の技術】
従来、球受皿の球抜き孔を開放状態に保持し得るようにしたパチンコ機における球受皿の球抜き装置として、例えば特公平３−５３９５４号公報のものが知られている。
【０００３】
この従来の球受皿の球抜き装置は、球受皿の球抜き孔を開閉する摺動体と、球受皿の係合部に係脱自在なように設けられた係止部材と、係合部と係止部材との係合を外す押圧部材とを備え、係止部材を係合部に係合させることにより摺動体を球抜き孔を開放する位置に拘束すると共に、押圧部材を押圧操作して係合部と係止部材との係合を解除することにより摺動体を球抜き孔を閉止する位置に移動させるようになっていた。
【０００４】
【発明が解決しようとする課題】
上記した従来のパチンコ機における球受皿の球抜き装置は、摺動体，係止部材，押圧部材をそれぞれ付勢する付勢部材を必要とするため、部品点数が増加し、しかも構造が複雑で組立てに手間が掛かりコストアップにつながっていた。
【０００５】
本発明は、上記した問題点に鑑みてなされたもので、その目的とするところは、部品点数が少なく、かつ簡単な構造で球受皿の球抜き孔を開放状態に保持し得るようにしたパチンコ機における球受皿の球抜き装置を提供することにある。
【０００６】
【課題を解決するための手段】
上記目的を達成するために、本発明のパチンコ機における球受皿の球抜き装置は、パチンコ球を貯留する皿部を有する球受皿本体と、前記球受皿本体に設けられた操作部材を押すことにより回動支軸を中心として回動し、かつ球抜き孔を開閉する幅広の板状部を一体に設けたレバー部材と、該レバー部材を球抜き孔を閉止する位置に付勢する付勢部材とからなり、前記回動支軸に挿通するレバー部材の軸通孔を回動支軸の直径より大きく形成して該レバー部材を回動支軸と軸通孔との間の隙間の範囲内で軸方向に移動自在なように設けると共に、球受皿本体又はレバー部材のいずれか一方にガイド受部と係合部とを有する規制片を、他方に係合突起を設け、前記レバー部材を付勢部材により付勢して規制片のガイド受部と係合突起とを接触状に位置させることによりレバー部材の軸方向への移動を規制すると共に、該レバー部材の回動により係合部と係合突起とを係合させてレバー部材を球抜き孔を開放する位置に保持し、さらに操作部材の回動によりレバー部材を付勢部材の付勢に抗して軸方向に移動させることにより係合部と係合突起の係合を外すようにしたものである。
【０００７】
上記のように構成されたパチンコ機における球受皿の球抜き装置は、操作部材を指で押すとレバー部材が規制片のガイド受部と係合突起との接触により軸方向への移動が規制されつつ回動する。そして、レバー部材が球抜き孔を開放する位置まで回動すると、該レバー部材が規制片のガイド受部と係合突起との接触による規制から解除されると同時に付勢部材による付勢で回動支軸と軸通孔との間の隙間により軸方向に移動し、これによって、規制片の係合部と係合突起とが係合してレバー部材を球抜き孔を開放する位置に保持する。また、この状態で操作部材を指で押して回動させ、レバー部材を付勢部材の付勢に抗して軸方向へ移動させることにより係合部と係合突起との係合を外す。これによりレバー部材が付勢部材の付勢により元の位置に回動して球抜き孔を閉止する。
【０００８】
なお、本発明のパチンコ機における球受皿の球抜き装置は、パチンコ機の前面枠の前面に設けられる下部球受皿又は打球供給用球受皿のいずれにも適用可能である。
【０００９】
【発明の実施の形態】
次に、図面を参照して本発明の実施の形態について説明する。図１はパチンコ機の正面図であり、１はパチンコ機の機枠、２は機枠１の前面に開閉自在に装着された前面枠である。前面枠２は、ほぼ中央に窓孔が形成された額縁状に形成されており、該窓孔の上部にガラス扉３が、その下部に前面板４がそれぞれ開閉自在に設けられている。前記ガラス扉３の後方であり、前面枠２の窓孔の裏面部分には遊技盤５が着脱自在に取付けられている。この遊技盤５の前面には円状の誘導レール６が設けられており、その誘導レール６で囲まれる領域が遊技領域として構成されている。また、前記前面板４の前面には誘導レール６の発射位置にパチンコ球を供給する打球供給用の上部球受皿７が設けられており、前面枠２の前面下部には、上部球受皿７から溢出する余剰球を貯留する下部球受皿８が設けられている。
【００１０】
次に、図２を参照して下部球受皿８の構成について説明する。下部球受皿８は、前面枠２の前面に取付ける球受皿本体９と、パチンコ球を貯留する皿部１０を有し、該皿部１０の底部には球抜き孔１１が開設されている。また、皿部１０の底部下面には皿状の支持枠１２がビス１３により固着されており、該支持枠１２には球抜き孔１１と相対する位置に該球抜き孔１１とほぼ同じ大きさの円形孔１４が設けられている。
【００１１】
しかして、前記皿部１０と支持枠１２との間に挟まれるように操作部材１５とレバー部材１６がそれぞれ設けられている。操作部材１５は、長さのほぼ中間が支持枠１２に突設した支軸１７により水平回動自在に軸支されており、その前面部分は山形状に形成されて回動により支持枠１２の開口１８から外方へ交互に突出する押圧部１９ａ，１９ｂが形成されている。また、支軸１７より内側位置に係合腕２０と押圧突部２１が形成されている。
【００１２】
前記レバー部材１６は、前端に軸通孔２２と側方に突出する腕片２３が形成され、後端には球抜き孔１１を開閉する幅広の板状部２４が一体に形成されている。このレバー部材１６は、図３及び図４に示すように腕片２３を操作部材１５の押圧突部２１と接触状に対応位置させると共に、軸通孔２２を支持枠１２に突設した回動支軸２５に挿通して該回動支軸２５を中心に回動自在なように支持されている。また、レバー部材１６には付勢部材としてのスプリング２６の一端が連結されている。このスプリング２６は図３における右方向、すなわちレバー部材１６を常に板状部２４が球抜き孔１１を閉止する方向に付勢するようになっている。このとき操作部材１５の一方の押圧部１９ａが支持枠１２の開口１８から外方へ突出されている。
【００１３】
しかして、図５に示すように前記支持枠１２の上面と相対するレバー部材１６の裏面側であり、かつ軸通孔２２の後方に係合突起２７が一体に設けられ、操作部材１５の係合腕２０と対応する左側面には係合凹部２８が設けられている。また、レバー部材１６の軸通孔２２は、回動支軸２５の直径より大きい楕円孔として形成されており、レバー部材１６が回動支軸２５と軸通孔２２との間の隙間の範囲内で軸方向に移動できるようになっている。
【００１４】
一方、レバー部材１６の係合突起２７に対応する支持枠１２の上面には、凹弧状のガイド受部２９と係合部３０とを有する規制片３１が突設されている。この規制片３１のガイド受部２９は図３実線で示すようにレバー部材１６の板状部２４が球抜き孔１１を閉止している状態において、レバー部材１６の係合突起２７を接触させて該レバー部材１６が軸方向に移動しないように規制するようになっている。また規制片３１の係合部３０は図４実線で示すようにレバー部材１６の板状部２４が球抜き孔１１を開放している状態において、レバー部材１６の係合突起２７が係合し得るようになっている。
【００１５】
次に、上記した球受皿の球抜き装置の作用について図３及び図４を参照して説明すると、まず、図３実線で示すようにレバー部材１６の板状部２４が球抜き孔１１を閉止している状態において、操作部材１５の一方の押圧部１９ａを指で押すと、該操作部材１５が図３鎖線のように支軸１７を支点として反時計廻り方向に回動し、これの押圧突部２１でレバー部材１６の腕片２３を後方に押す。これによって、レバー部材１６が鎖線で示すようにスプリング２６の付勢に抗して回動支軸２５を中心に反時計廻り方向に回動する。このとき、レバー部材１６はスプリング２６の付勢により回動支軸２５と軸通孔２２との間の隙間によって後方に移動しようとするが規制片３１のガイド受部２９に係合突起２７が接触してその後方への移動が規制される。
【００１６】
一方、図４実線で示すようにレバー部材１６の板状部２４が球抜き孔１１を開放する位置まで移動するとレバー部材１６の係合突起２７が規制片３１のガイド受部２９から外れ、同時にレバー部材１６がスプリング２６の付勢により後方に移動して係合突起２７が規制片３１の係合部３０に係合し、該レバー部材１６をその回動位置に保持する。このため、押圧部１９ａから指を離してもレバー部材１６は球抜き孔１１を開放した状態に保持されることになり、皿部１０のパチンコ球は球抜き孔１１から下方に落下して球箱等に収められる。
【００１７】
次に、球抜き孔１１を閉止するには、図４において操作部材１５の他方の押圧部１９ｂを指で押すと、操作部材１５が図４鎖線のように支軸１７を支点として時計廻り方向に回動し、これの係合腕２０がレバー部材１６の係合凹部２８に係合して該係合凹部２８を押圧する。これによって、レバー部材１６が鎖線のように回動支軸２５と軸通孔２２との間の隙間によって前方に引寄せられて係合突起２７が規制片３１の係合部３０から外れる。このため、レバー部材１６はスプリング２６の付勢により回動支軸２５を中心に時計廻り方向に回動して図３実線に示す元の位置に戻り、板状部２４により球抜き孔１１が閉止される。
【００１８】
なお、上記した実施の形態では、レバー部材１６の軸通孔２２を楕円孔として示したが、回動支軸２５より大径の円孔であってもよい。また、上記した実施の形態ではレバー部材１６に係合突起２７を設け、該係合突起２７に対応する支持枠１２の上面にガイド受部２９と係合部３０とを有する規制片３１を設けたものを示したが、図５に示すようにレバー部材１６に規制片３１を設け、支持枠１２の上面に係合突起２７を設けるようにしてもよい。
【００１９】
また、図６に示す第２実施の形態は、操作部材１５の押圧突部２１に代えて押圧腕部３２を設けると共に、該押圧腕部３２と対応するレバー部材１６の側面に側片３３を設け、図６鎖線で示すように押圧腕部３２でレバー部材１６の側片３３を押して該レバー部材１６を回動させることにより該レバー部材１６を球抜き孔１１を開放する位置に移動させるようにしたものである。その他の構成は第１実施の形態と同じである。
【００２０】
【発明の効果】
以上、説明したところから明らかなように、本発明においては、操作部材を指で押すだけの簡単な操作でレバー部材を球抜き孔を開放する位置に保持し、又はその保持を解除して球抜き孔を閉止することができるので、球受皿に貯留されるパチンコ球の球抜き操作を極めて容易に行うことができる。
【００２３】
また、レバー部材に球抜き孔を開閉する板状部を一体に設けたものであるから、構造が簡単で部品点数が少なくて済み、コストダウンを図ることができる。
【図面の簡単な説明】
【図１】本発明が適用されるパチンコ機の正面図である。
【図２】本発明に係る球抜き装置が組込まれた下部球受皿の斜視図である。
【図３】球抜き孔を閉止した状態の要部平面図である。
【図４】球抜き孔を開放した状態の要部平面図である。
【図５】レバー部材を裏面側から見た斜視図である。
【図６】他の実施の形態の要部平面図である。
【図７】さらに他の実施の形態の要部平面図である。
【符号の説明】
９        球受皿本体
１０      皿部
１１      球抜き孔
１５      操作部材
１６      レバー部材
２２      軸通孔
２４      板状部
２５      回動支軸
２６      スプリング（付勢部材）
２７      係合突起
２９      ガイド受部
３０      係合部
３１      規制片
【図１】
0003944291.tif 000002
【図２】
0003944291.tif 000003
【図３】
0003944291.tif 000004
【図４】
0003944291.tif 000005
【図５】
0003944291.tif 000006
【図６】
0003944291.tif 000007
【図７】
0003944291.tif 000008